(57)【要約】      （修正有）【課題】開栓後の確認が容易で、製造面でも優れる封印帯付きキャップを提供する。【解決手段】フランジ１３が、封印帯１２の内周面に対向する。下側当接部１４は、フランジ１３の先端の下面に当接可能である。２つの上側突起１７は、上蓋１１の直径上で対向する２つの位置のそれぞれに、上蓋１１の下面から、封印帯１２の上面に向かって膨出するとともに、上蓋１１の下方向の端部を平面とし、上蓋１１の開栓方向の端部を曲面とする。２つの下側突起１８は、封印帯１２の直径上で対向する２つの位置のそれぞれに、封印帯１２の上面から、上蓋１１の下面に向かって膨出するとともに、上蓋１１の閉栓方向の端部を曲面とし、上蓋１１の上方向の端部を平面とする。離型用突起１９は、上蓋１１の２つの上側突起１７の直線上と略直角の直線上で対向する２つの位置のそれぞれに、上蓋１１の下面から、封印帯１２の上面に向かって膨出するとともに、上蓋１１の閉栓方向及び開栓方向の端部を曲面とし、上蓋１１の下方向の端部を平面とする。【選択図】図４
0003231418.tif 000002
【実用新案登録請求の範囲】
【請求項１】
容器口部に装着される中栓と、
前記中栓に螺着される円筒状の上蓋と、
上面が複数の連結片を介して前記上蓋の下面に接続された円筒状の封印帯と、
前記中栓の周方向の外周面に、外部に向かって膨出し、前記封印帯の内周面に対向するフランジと、
前記封印帯の周方向の内周面の下端近傍に、内部に向かって膨出し、前記フランジの先端の下面に当接可能な下側当接部と、
前記中栓の外周面に、前記中栓の周方向に沿って等間隔に設けられ、外部に向かって突出した４つのラチェット爪と、
前記封印帯の内周面に、前記封印帯の周方向に沿って等間隔に設けられ、内部に向かって突出し、前記フランジの先端の上面に当接可能で、且つ、前記４つのラチェット爪のそれぞれと当接可能な４つのラチェット歯と、
前記上蓋の下面で、且つ、前記上蓋の直径上で対向する２つの位置のそれぞれに、前記上蓋の下面から、前記封印帯の上面に向かって膨出するとともに、前記上蓋の閉栓方向の端部を直角面とし、前記上蓋の下方向の端部を平面とし、前記上蓋の開栓方向の端部を曲面とする２つの上側突起と、
前記封印帯の上面で、且つ、前記封印帯の直径上で対向する２つの位置のそれぞれに、前記封印帯の上面から、前記上蓋の下面に向かって膨出するとともに、前記上蓋の閉栓方向の端部を曲面とし、前記上蓋の上方向の端部を平面とし、前記上蓋の開栓方向の端部を直角面とし、直角面を、前記上側突起の直角面に対向させる２つの下側突起と、
前記上蓋の下面で、且つ、前記上蓋の２つの上側突起の直線上と略直角の直線上で対向する２つの位置のそれぞれに、前記上蓋の下面から、前記封印帯の上面に向かって膨出するとともに、前記上蓋の閉栓方向及び開栓方向の端部を曲面とし、前記上蓋の下方向の端部を平面とする２つの離型用突起と、
を備える封印帯付きキャップ。
【考案の詳細な説明】
【技術分野】
【０００１】
本考案は、封印帯付きキャップに関する。
【背景技術】
【０００２】
従来より、不正開封防止機能（ピルファープルーフ機能）を目的とするキャップの技術は多種存在する。
【０００３】
例えば、特開２００２−３７０７６５号公報（特許文献１）には、瓶口筒に、外嵌して乗り越え係止する組付き筒を有し、密嵌装して注出口を形成するキャップ本体と、キャップ本体に着脱自在に螺合して、注出口を開閉する有頂筒形状の外キャップ体とから構成された合成樹脂製注出キャップが開示されている。このキャップは、組付き筒の外周面に第１係止部を形成し、閉状態で組付き筒に外装する外キャップ体の外装筒の下端に、第１係止部に下方から係止する第２係止部を設けた封止リングを、複数の破断片を介して一体に連設している。又、このキャップは、外装筒の下端に設けた複数の第１押圧斜面部に対して、第１押圧斜面部に螺脱方向側から、キャップ本体の螺条のリード角よりも大きい鋭角である傾斜角で、摺動可能に当接すべく、間近に対向する複数の第２押圧斜面部を、封止リングの上端に設けて成る。これにより、開封時に、外装筒の第１押圧斜面部が封止リングの第２押圧斜面部に当接し、この両押圧斜面部がキャップ本体の螺条のリード角（キャップ本体と外キャップ体との螺合機能部のリード角）よりも大きい鋭角の傾斜角で当接するので、封止リングは外装筒により強制的に押し下げられ、自重により確実に落下変位し、外キャップ体と封止リングが確実に分離し、瓶が既に開封されたものと判断できるとしている。
【０００４】
又、特開２００５−５９９０６号公報（特許文献２）には、天板下に容器の口部に打栓するための打栓部分を有し、且つ、天板上に注出筒を有するキャップ本体と、キャップ本体の注出筒に螺着脱する上蓋と、上蓋にタンパーエビデント機構を介在させて連結したバンドとからなる易分別性プラスチックキャップが開示されている。このキャップ本体は、打栓部分を切り欠くための脆弱部及びその脆弱部で囲った打栓部分に設けた切欠用ツマミを有し、上蓋はキャップ本体の注出筒に螺着脱するネジ周壁及びその外側に外周壁を有する。そして、このキャップ本体は、ネジ周壁と外周壁との間に切欠用ツマミを位置させてなり、キャップ本体の打栓部分を切欠用ツマミにて切り欠き、容器の口部からキャップ本体を離脱可能としている。これにより、キャップ本体の注出筒に上蓋が直接螺着脱する構成とし、キャップ本体と上蓋との間に内容物が溜まるスペースをなくすことにより、内容物の残留に起因するカビの発生を未然に防止することができるとしている。又、切欠用ツマミにて脆弱部を破断してキャップ本体の打栓部分を切り欠いたあと、容器の口部からキャップ本体を離脱出来、上蓋とバンドとの間のタンパーエビデント機構により一旦開封するとその事実が残り、一目で不正開封の事実が判明するようになっている。これにより、廃棄時に容器の口部からキャップ本体を容易に離別でき、分別廃棄性を高めることが出来て、その上、内容物が直接触れる注出筒などの汚染や内容物の改ざんを防止できるとしている。
【０００５】
又、特開２０１３−１８０７６３号公報（特許文献３）には、容器口部に装着される中栓と、中栓に螺着される上蓋とからなり、上蓋の側壁下部に連結片を介し封印帯が設けられた封印帯付きキャップが開示されている。この封印帯は、内面に、中栓の側壁外面に設けられたラチェット爪と係合するラチェット歯と、上部に、上蓋の側壁下部に設けられた突起と接触する干渉突起とを備える。又、封印帯は、キャップの未開栓時において、ラチェット爪とラチェット歯が互いに離間するように位置しており、キャップの初開栓時に上蓋と共に開栓方向に移動し、ラチェット爪とラチェット歯が係合する位置で中栓に保持される。そして、干渉突起は、上蓋の側壁下部に設けられた突起とキャップの再閉栓時の締め込み完了位置付近で接触する。これにより、キャップの初開栓時、上蓋を開栓方向に回転させて中栓から螺脱する際、封印帯は、上蓋が開栓方向に移動するのに伴ってラチェット歯が中栓のラチェット爪に係合するまで移動する。そして、キャップの再閉栓時に締め込みの完了位置付近で上蓋に設けられた突起と接触する干渉突起が封印帯に設けられていることで、その締め込みの完了に合わせて、上蓋の突起が封印帯の干渉突起に接触したり、接触した上で干渉突起を乗り越えたりする感覚を消費者に与えることができるとしている。
【先行技術文献】
【特許文献】
【０００６】
【特許文献１】特開２００２−３７０７６５号公報
【特許文献２】特開２００５−５９９０６号公報
【特許文献３】特開２０１３−１８０７６３号公報
【考案の概要】
【考案が解決しようとする課題】
【０００７】
従来より、不正開封防止機能付きのキャップには、開閉し易く、且つ、初開栓後に、封印帯がキャップと適切に分離するように求められている。特許文献１に記載の技術では、ユーザが、外装筒の第１押圧斜面部を封止リングの第２押圧斜面部に当接させるとともに、外装筒と封止リングを分離するために、第１押圧斜面部を第２押圧斜面部から乗り越えさせる必要があり、初開栓時に外装筒に過大な開栓力が必要であるという課題がある。又、特許文献２に記載の技術でも、同様に、上蓋とバンドとを分離するために、初開栓時に上蓋に過大な開栓力が必要であるという課題がある。
【０００８】
又、特許文献３に記載の技術では、初開栓時、再開栓時及び閉栓時に、封印帯の干渉突起が上蓋の突起と接触するため、開封感覚を得ることができるものの、干渉突起と突起との接触のために、上蓋に過大な開栓力及び閉栓力が必要であるという課題がある。特に、子供や高齢者では、このような構成の封印帯付きキャップの開閉は困難である。
【０００９】
又、不正開封防止機能付きのキャップは、安価であるため、製造面での利点が必要である。しかしながら、特許文献１−３に記載の技術では、製造面での利点が不明である。
【００１０】
そこで、本考案は、課題を解決するためになされたものであり、開閉し易く、開栓後の確認が容易であり、製造面でも優れる封印帯付きキャップを提供することを目的とする。
【課題を解決するための手段】
【００１１】
本考案に係る封印帯付きキャップは、中栓と、上蓋と、封印帯と、フランジと、下側当接部と、４つのラチェット爪と、４つのラチェット歯と、２つの上側突起と、２つの下側突起と、２つの離型用突起と、を備える。中栓は、容器口部に装着される。上蓋は、前記中栓に螺着され、円筒状である。封印帯は、上面が複数の連結片を介して前記上蓋の下面に接続され、円筒状である。フランジは、前記中栓の周方向の外周面に、外部に向かって膨出し、前記封印帯の内周面に対向する。下側当接部は、前記封印帯の周方向の内周面の下端近傍に、内部に向かって膨出し、前記フランジの先端の下面に当接可能である。４つのラチェット爪は、前記中栓の外周面に、前記中栓の周方向に沿って等間隔に設けられ、外部に向かって突出している。４つのラチェット歯は、前記封印帯の内周面に、前記封印帯の周方向に沿って等間隔に設けられ、内部に向かって突出し、前記フランジの先端の上面に当接可能で、且つ、前記４つのラチェット爪のそれぞれと当接可能である。２つの上側突起は、前記上蓋の下面で、且つ、前記上蓋の直径上で対向する２つの位置のそれぞれに、前記上蓋の下面から、前記封印帯の上面に向かって膨出するとともに、前記上蓋の閉栓方向の端部を直角面とし、前記上蓋の下方向の端部を平面とし、前記上蓋の開栓方向の端部を曲面とする。２つの下側突起は、前記封印帯の上面で、且つ、前記封印帯の直径上で対向する２つの位置のそれぞれに、前記封印帯の上面から、前記上蓋の下面に向かって膨出するとともに、前記上蓋の閉栓方向の端部を曲面とし、前記上蓋の上方向の端部を平面とし、前記上蓋の開栓方向の端部を直角面とし、直角面を、前記上側突起の直角面に対向させる。２つの離型用突起は、前記上蓋の下面で、且つ、前記上蓋の２つの上側突起の直線上と略直角の直線上で対向する２つの位置のそれぞれに、前記上蓋の下面から、前記封印帯の上面に向かって膨出するとともに、前記上蓋の閉栓方向及び開栓方向の端部を曲面とし、前記上蓋の下方向の端部を平面とする。
【考案の効果】
【００１２】
本考案によれば、開閉し易く、開栓後の確認が容易であり、製造面でも優れる。
【図面の簡単な説明】
【００１３】
【図１】本考案の実施形態に係る封印帯付きキャップの平面視斜視図と底面視斜視図とである。
【図２】本考案の実施形態に係る封印帯付きキャップの正面図と右側面図とである。
【図３】本考案の実施形態に係る封印帯付きキャップの平面図と底面図とである。
【図４】本考案の実施形態に係る封印帯付きキャップのＡ−Ａ線断面図とＢ−Ｂ線断面図とである。
【図５】本考案の実施形態に係る封印帯付きキャップのＣ−Ｃ線断面図である。
【図６】本考案の実施形態に係る封印帯付きキャップの上蓋と封印帯の右側面図とＤ−Ｄ線断面図とである。
【図７】本考案の実施形態に係る封印帯付きキャップの中栓の平面視斜視図と正面図とである。
【図８】本考案の実施形態に係る封印帯付きキャップの使用状態を示す第一の参考図である。
【図９】本考案の実施形態に係る封印帯付きキャップの使用状態を示すＣ−Ｃ線断面図である。
【図１０】本考案の実施形態に係る封印帯付きキャップの使用状態を示す第二の参考図である。
【図１１】本考案の実施形態に係る封印帯付きキャップの製造過程を示す平面視斜視図である。
【図１２】本考案の他の実施形態に係る封印帯付きキャップの平面視斜視図と底面視斜視図とである。
【図１３】本考案の実施形態に係る封印帯付きキャップの上蓋を開栓した状態の平面視斜視図と、本考案の他の実施形態に係る封印帯付きキャップの上蓋を開栓した状態の平面視斜視図とである。
【考案を実施するための形態】
【００１４】
以下に、添付図面を参照して、本考案の実施形態について説明し、本考案の理解に供する。尚、以下の実施形態は、本考案を具体化した一例であって、本考案の技術的範囲を限定する性格のものではない。
【００１５】
本考案に係る封印帯付きキャップ１は、図１−図７に示すように、中栓１０と、上蓋１１と、封印帯１２と、フランジ１３と、下側当接部１４と、４つのラチェット爪１５と、４つのラチェット歯１６と、２つの上側突起１７と、２つの下側突起１８と、２つの離型用突起１９と、を備える。尚、図面のうち、背面図は、正面図と同一対称に表れるため省略する。左側面図は、右側面図と同一対称に表れるため省略する。
【００１６】
中栓１０は、容器口部に装着される。上蓋１１は、中栓に螺着され、円筒状である。封印帯１２は、上面が複数の連結片１２ａを介して上蓋１１の下面に接続され、円筒状である。
【００１７】
又、フランジ１３は、中栓１０の周方向の外周面に、外部に向かって膨出し、封印帯１２の内周面に対向する。下側当接部１４は、封印帯１２の周方向の内周面の下端近傍に、内部に向かって膨出し、フランジ１３の先端の下面に当接可能である。
【００１８】
又、４つのラチェット爪１５は、中栓１０の外周面に、中栓１０の周方向に沿って等間隔に設けられ、外部に向かって突出している。４つのラチェット歯１６は、封印帯１２の内周面に、封印帯１２の周方向に沿って等間隔に設けられ、内部に向かって突出し、フランジ１３の先端の上面に当接可能で、且つ、４つのラチェット爪１５のそれぞれと当接可能である。
【００１９】
２つの上側突起１７は、上蓋１１の下面で、且つ、上蓋１１の直径上で対向する２つの位置のそれぞれに、上蓋１１の下面から、封印帯１２の上面に向かって膨出するとともに、上蓋１１の閉栓方向の端部を直角面とし、上蓋１１の下方向の端部を平面とし、上蓋１１の開栓方向の端部を曲面とする。
【００２０】
２つの下側突起１８は、封印帯１２の上面で、且つ、封印帯１２の直径上で対向する２つの位置のそれぞれに、封印帯１２の上面から、上蓋１１の下面に向かって膨出するとともに、上蓋１１の閉栓方向の端部を曲面とし、上蓋１１の上方向の端部を平面とし、上蓋１１の開栓方向の端部を直角面とし、直角面を、上側突起１５の直角面に対向させる。
【００２１】
離型用突起１９は、上蓋１１の下面で、且つ、上蓋１１の２つの上側突起１５の直線上と略直角の直線上で対向する２つの位置のそれぞれに、上蓋１１の下面から、封印帯１２の上面に向かって膨出するとともに、上蓋１１の閉栓方向及び開栓方向の端部を曲面とし、上蓋１１の下方向の端部を平面とする。
【００２２】
これにより、開閉し易く、開栓後の確認が容易であり、製造面でも優れるという顕著な効果を有する。即ち、図８に示すように、先ず、ユーザが、上蓋１１を開栓方向に沿って回転させると、連結片１２ａを介して接続された封印帯１２が上蓋１１とともに開栓方向に沿って回転するとともに、中栓１０の上方向に移動する。
【００２３】
ここで、図９に示すように、封印帯１２の回転により、封印帯１２のラチェット歯１６が中栓１０のラチェット爪１５に当接し、封印帯１２の開栓方向の回転が停止する。
【００２４】
ユーザは、続けて上蓋１１を開栓方向に沿って回転させると、封印帯１２が開栓方向で停止した状態で、封印帯１２の下側当接部１４が中栓１０のフランジ１３と当接して、今度は、封印帯１２の上方向の移動が停止する。
【００２５】
ユーザが、更に上蓋１１を開栓方向に沿って回転させることで、封印帯１２が開栓方向でも上方向でも停止することから、上蓋１１はそのまま上昇し、上蓋１１の上側突起１７及び離型用突起１９が、封印帯１２の下側突起１８と当接することなく、上蓋１１が封印帯１２から離れて、連結片１２ａが切断し、上蓋１１が開栓される。このように、ユーザは、上蓋１１の回転が阻害されることなく、上蓋１１を円滑に回転させて、開栓することができる。
【００２６】
仮に、上蓋１１の上側突起１７が、封印帯１２の下側突起１８と当接したとしても、上側突起１７における上蓋１１の開栓方向の端部は曲面であり、下側突起１８における上蓋１１の閉栓方向の端部は曲面であることから、曲面同士が多少当接しても、止まることはなく、上側突起１７は、下側突起１８に阻害されることなく、上蓋１１とともに上昇する。
【００２７】
同様に、上蓋１１の離型用突起１９が、封印帯１２の下側突起１８と当接したとしても、離型用突起１９における上蓋１１の開栓方向の端部は曲面であり、下側突起１８における上蓋１１の閉栓方向の端部は曲面であることから、曲面同士が多少当接しても、止まることはなく、離型用突起１９は、下側突起１８に阻害されることなく、上蓋１１とともに上昇するのである。
【００２８】
つまり、上蓋１１の上側突起１７及び離型用突起１９は、封印帯１２の下側突起１８と当接することはなく、又は、当接しても、上側突起１７及び離型用突起１９の回転を阻害することは無いから、ユーザは、上蓋１１に過大な開栓力及び閉栓力が不要であり、特に、子供や高齢者でも、本考案の封印帯付きキャップ１の開閉が容易になるのである。
【００２９】
又、下側突起１８の直角面は、上側突起１７の直角面に対向する位置にあるため、上蓋１１を開栓方向に回転させると、上蓋１１の上側突起１７が、封印帯１２の下側突起１８から、丁度、離れるように、上蓋１１の周方向に移動するため、上側突起１７と下側突起１８との当接を確実に防止し、より開栓し易い構成としている。
【００３０】
ここで、図１０に示すように、連結片１２ａが切断することで、封印帯１２が容易に落下するが、封印帯１２の４つのラチェット歯１６（の下面）が中栓１０のフランジ１３の先端の上面と当接して、封印帯１２が中栓１０の所定の位置で停止する。
【００３１】
一方、ユーザが、上蓋１１を閉栓方向に沿って回転させることで、上蓋１１を中栓１０に閉栓することができるが、上蓋１１を閉栓方向に回転させて、完全に閉栓したとしても、封印帯１２が落下しているため、上蓋１１と封印帯１２との間に隙間が適切に発生し、外部から開封を確実に認識することができる。
【００３２】
又、上蓋１１と封印帯１２は、金型で成形後に、金型からストリッパー２０で離型されるが、図１１に示すように、上蓋１１の上側突起１７と離型用突起１９と、封印帯１２の下側突起１８とが、上蓋１１の周方向に沿って略等間隔に設けられていることから、ストリッパー２０の離型力が封印帯１２を介して上蓋１１にバランスよく印加し、精度高く離型することができる。
【００３３】
特に、上側突起１７における上蓋１１の下方向の端部と、離型用突起１９における上蓋１１の下方向の端部とが平面であることから、上蓋１１の上側突起１７と離型用突起１９とが封印帯１２の上面と適切に当接する。同様に、下側突起１８における上蓋１１の上方向の端部が平面であることから、封印帯１２の下側突起１８が上蓋１１の下面と適切に当接する。これにより、封印帯１２が上蓋１１と適切に当接して、ストリッパー２０の離型力を適切に伝えるのである。
【００３４】
このように、本考案に係る封印帯付きキャップ１は、上蓋１１の開閉を円滑にするとともに、不正開封防止機能を確実に発揮する。更に、本考案に係る封印帯付きキャップ１は、金型からの離型も容易であり、製造面でも優れているのである。
【００３５】
ここで、封印帯付きキャップ１の材質に特に限定は無いが、例えば、ポリエチレン、ポリプロピレン、ポリエチレンテレフタレート等の合成樹脂を挙げることができる。
【００３６】
中栓１０の構成に特に限定は無いが、例えば、図７に示すように、上方に円筒を有し、下方に菱形を有し、中央にラチェット爪１３とフランジ１８とを有する構成を挙げることができる。中栓１０は、容器口部に装着され、容器の内容物が外部に放出される口部として機能するため、中栓１０には、上面から下面までに貫通する貫通孔を有する。
【００３７】
又、中栓１０の下方の菱形の形状に特に限定は無いが、例えば、図７に示すように、菱形の鋭角の部分から外部に向かって延出されたヒレ部を設け、中栓１０と容器口部との接着を強固にするよう構成しても構わない。又、中栓１０の下方の菱形の外側面に、菱形の辺に沿った膨出線を設け、中栓１０の下方の外側面の表面積を広くして、更に、中栓１０と容器口部との接着を強固にするよう構成しても構わない。更に、例えば、図１２−図１３に示すように、中栓１０の下方の菱形の外側面に、菱形の辺に沿った線条と、菱形の下方に沿った線条とを設けて、中栓１０の下方の外側面の表面積を広くして、更に、中栓１０と容器口部との接着を強固にするよう構成しても構わない。
【００３８】
又、上蓋１１の構成に特に限定は無いが、例えば、図１−図６に示すように、上方の外周面に、上方から下方に沿った膨出線を設け、ユーザの指と上蓋１１との滑り止めを生じさせるよう構成しても良い。
【００３９】
又、上蓋１１の上面の内側の構成に特に限定は無いが、例えば、図４に示すように、内側栓を設け、上蓋１１を中栓１０に装着すると、上蓋１１の内側栓が中栓１０の貫通孔を閉塞するよう構成しても良い。
【００４０】
又、中栓１０と上蓋１１との螺合機能部に特に限定は無いが、例えば、図１−図７に示すように、中栓１０の外周面に雄ネジ部を設け、上蓋１１の内周面に雌ネジ部を設けるよう構成しても良い。又、図１−図７では、上蓋１１の開栓方向を上蓋１１の右方向とし、上蓋１１の閉栓方向を上蓋１１の左方向としたが、これらを逆方向に構成しても構わない。又、中栓１０の雄ネジ部の構成に特に限定は無いが、例えば、図１３に示すように、雄ネジ部の途中を中栓１０の上方から下方に向かって切断した構成にしても良いし、雄ネジ部を連続的に構成しても構わない。
【００４１】
又、中栓１０の螺条のリード角に特に限定は無いが、例えば、図８に示すように、封印帯１２の移動が開栓方向でも上方向でも停止した場合、上蓋１１を開栓方向に沿って４５度回転させると、封印帯１２の下側突起１６が、上蓋１１の上側突起１５又は離型用突起１７と当接しないように、上蓋１１を上方向に所定量移動させるだけのリード角であると好ましい。
【００４２】
又、連結片１２ａの数に特に限定は無いが、例えば、封印帯１２の周方向に沿って等間隔に４つ設けられると好ましい。又、連結片１２ａの設置位置に特に限定は無いが、例えば、図６に示すように、封印帯１２のラチェット歯１６の直上に設けられると、製造面で製造しやすく、好ましい。
【００４３】
又、フランジ１３の径方向の長さに特に限定は無いが、例えば、中栓１０に封印帯１２を挿通させた際に、フランジ１３の径方向の先端と封印帯１２の内周面との間に所定の間隔が生じる程度の長さであると好ましい。
【００４４】
又、下側当接部１４の膨出程度に特に限定は無いが、例えば、図１０に示すように、封印帯１２が上蓋１１の上方向に移動した際に、中栓１１のフランジ１３に当接して、封印帯１２の上方向の移動を制限する程度に膨出すると好ましい。
【００４５】
又、ラチェット爪１５の形状に特に限定は無いが、例えば、図７に示すように、上蓋１１の開栓方向に沿って鋭角となる略台形柱状に構成されると好ましい。又、ラチェット爪１５の突出程度に特に限定は無いが、例えば、中栓１０に封印帯１２を挿通させた際に、ラチェット爪１５の側面の端部と封印帯１２の内周面との間に所定の間隔が生じ、且つ、ラチェット歯１６に当接する程度に突出すると好ましい。
【００４６】
又、ラチェット歯１６の形状に特に限定は無いが、例えば、図６に示すように、封印帯１２の内周面から内部に向かって延出された略直方体状に構成されると好ましい。又、ラチェット歯１６の突出程度に特に限定は無いが、例えば、図１０に示すように、封印帯１２が、上蓋１１と分離して、自重で上蓋１１の下方向に落下した際に、中栓１１のフランジ１３に当接して、封印帯１２の下方向の落下を所定量だけで制限する程度に突出すると好ましい。
【００４７】
又、上側突起１７、下側突起１８及び離型用突起１９の曲面の形状に特に限定は無いが、例えば、図２に示すように、側面視（例えば、正面視）で扇状であると、ユーザが柔らかいイメージを抱きやすく、美的外観が向上するため、好ましい。又、上側突起１７及び離型用突起１９の曲面が、下側突起１８の曲面と当接しても滑り易くなり、好ましい。
【００４８】
又、上側突起１７、下側突起１８及び離型用突起１９の周方向の長さに特に限定は無いが、例えば、図１１に示すように、ストリッパー２０で封印帯１２を押した際に、封印帯１２に印加した離型力が上蓋１１の下面に均等に掛かる程度の所定の長さであると好ましい。
【００４９】
又、本考案に係る封印帯付きキャップ１が適用される容器に特に限定は無いが、例えば、液状体やペースト状体等の内容物を充填して使用される容器を挙げることができる。
【００５０】
又、本考案に係る封印帯付きキャップ１の構成に、更に、他の機能や他のデザインを追加しても構わない。
【産業上の利用可能性】
【００５１】
以上のように、本考案は、容器口部に設置される封印帯付きキャップとしてとして有用であり、開閉し易く、開栓後の確認が容易であり、製造面でも優れる封印帯付きキャップとして有効である。
【符号の説明】
【００５２】
１    封印帯付きキャップ
１０  中栓
１１  上蓋
１２  封印帯
１３  フランジ
１４  下側当接部
１５  ラチェット爪
１６  ラチェット歯
１７  上側突起
１８  下側突起
１９  離型用突起
２０  ストリッパー
【図１】
0003231418.tif 000003
【図２】
0003231418.tif 000004
【図３】
0003231418.tif 000005
【図４】
0003231418.tif 000006
【図５】
0003231418.tif 000007
【図６】
0003231418.tif 000008
【図７】
0003231418.tif 000009
【図８】
0003231418.tif 000010
【図９】
0003231418.tif 000011
【図１０】
0003231418.tif 000012
【図１１】
0003231418.tif 000013
【図１２】
0003231418.tif 000014
【図１３】
0003231418.tif 000015